(57)【要約】  周囲の放送に基づき宣伝をカスタマイズするシステム及び方法が提供される。新たな宣伝の開始が検出され、映像特性及び／又は音声特性を含むそれの特性データが抽出される。また、周囲の放送の映像特性及び／又は音声特性を含む周囲の放送データが抽出される。置換宣伝が、新たな宣伝と周囲の方法データの宣伝特性と周囲の放送データとの比較に基づき選択されてもよく、周囲の放送データに基づき、置換宣伝の映像特性及び／又は音声特性がカスタマイズされる。置換宣伝の選択及びカスタマイズは、それの特性データが周囲の放送データと最も近く一致するように実行される。
2008522532.tif 000002
【特許請求の範囲】
【請求項１】
周囲の放送に基づき宣伝をカスタマイズする方法であって、
新たな宣伝の開始を検出するステップと、
前記新たな宣伝の映像特性と音声特性との少なくとも１つを宣伝特性データとして、前記周囲の放送の映像特性と音声特性とを周囲の放送データとして抽出するステップと、
前記新たな宣伝と格納されている宣伝の宣伝特性と前記周囲の放送データとの比較に基づき、前記新たな宣伝と前記格納されている宣伝との１つを置換宣伝として選択するステップと、
前記周囲の放送データに基づき、前記置換宣伝の映像特性と前記音声特性との少なくとも１つをカスタマイズするステップと、
を有する方法。
【請求項２】
前記カスタマイズするステップは、前記置換宣伝の少なくとも２つの予め設定されている特徴データの１つから、カラースキームと音声トラックの少なくとも１つを表す予め設定されている特徴データを選択することによって実行される、請求項１記載の方法。
【請求項３】
前記カスタマイズするステップは、ボリューム、ピッチ、カラー飽和、カラーコントラスト、テクスチャ及びモーションの少なくとも１つである宣伝設定を調整することによって実行される、請求項１記載の方法。
【請求項４】
前記置換宣伝は、ライナーフェーディング、補間及びディゾルブの少なくとも１つによりカスタマイズされる、請求項１記載の方法。
【請求項５】
前記置換宣伝は、ジャンル情報と電子番組ガイド情報の少なくとも１つを含む前記周囲の放送データに関する情報に基づきカスタマイズされる、請求項１記載の方法。
【請求項６】
前記置換宣伝は、記憶装置と記録媒体の１つに格納され、前記宣伝のカスタマイズ後に前記周囲の放送に挿入される、請求項１記載の方法。
【請求項７】
前記置換宣伝の選択は、前記置換宣伝の宣伝特性データが前記周囲の放送データと最も近く一致するように実行される、請求項１記載の方法。
【請求項８】
前記格納されている選択された宣伝は、前記新たな宣伝と類似する時間を有する、請求項１記載の方法。
【請求項９】
前記格納されている宣伝は、コマーシャルデータベースから選択される、請求項８記載の方法。
【請求項１０】
周囲の放送に基づき宣伝をカスタマイズする方法であって、
新たな宣伝の開始を検出するステップと、
前記新たな宣伝の映像特性と音声特性との１つを宣伝特性データとして、前記周囲の放送の映像特性と音声特性とを周囲の放送データとして抽出するステップと、
前記宣伝特性データと前記周囲の放送データとの間の差分を決定するため、前記宣伝特性データと前記周囲の放送データとを比較するステップと、
前記周囲の放送データに基づき、前記新たな宣伝の映像特性と音声特性との少なくとも１つをカスタマイズするステップと、
を有する方法。
【請求項１１】
周囲の放送に基づき宣伝をカスタマイズするシステムであって、
新たな宣伝の開始を検出するよう構成される宣伝検出装置と、
前記新たな宣伝の映像特性と音声特性との少なくとも１つを宣伝特性データとして、前記周囲の放送の映像特性と音声特性とを周囲の放送データとして抽出するよう構成される特性データ抽出装置と、
前記新たな宣伝と格納されている宣伝との宣伝特性データと前記周囲の放送データとの比較に基づき、前記新たな宣伝と前記格納されている宣伝との１つを置換宣伝として選択するよう構成される比較装置と、前記周囲の放送データに基づき、前記置換宣伝の映像特性と前記音声特性との少なくとも１つをカスタマイズするよう構成されるカスタマイズ化モジュールと、
を有するシステム。
【請求項１２】
前記カスタマイズ化モジュールは、前記置換宣伝の少なくとも２つの予め設定された特徴データの１つから選択することによってカスタマイズするよう構成される、請求項１１記載のシステム。
【請求項１３】
前記予め設定された特徴データは、カラースキームと音声トラックとの少なくとも１つを表す、請求項１２記載のシステム。
【請求項１４】
前記カスタマイズ化モジュールは、宣伝設定を調整することによってカスタマイズするよう構成される、請求項１１記載のシステム。
【請求項１５】
前記調整された宣伝設定は、ボリューム、ピッチ、カラー飽和、カラーコントラスト、テクスチャ及びモーションの少なくとも１つである、請求項１４記載のシステム。
【請求項１６】
前記カスタマイズ化モジュールは、ユーザにより指定された移行指示に従ってライナーフェーディング、補間及びディゾルブの少なくとも１つによって前記置換宣伝をカスタマイズするよう構成される、請求項１１記載のシステム。
【請求項１７】
前記カスタマイズ化モジュールは、ジャンル情報と電子番組ガイド情報の少なくとも１つを含む、前記周囲の放送データに関する情報に基づき、前記置換宣伝をカスタマイズするよう構成される、請求項１１記載のシステム。
【請求項１８】
前記カスタマイズ化モジュールは、前記宣伝のカスタマイズ化後に前記置換宣伝を前記周囲の放送に挿入するよう構成される、請求項１１記載のシステム。
【請求項１９】
前記カスタマイズ化モジュールは、パーソナルビデオレコーダの記録媒体と記憶装置の１つに前記置換宣伝を格納するよう構成される、請求項１１記載のシステム。
【請求項２０】
前記宣伝カスタマイズ化装置は、前記置換宣伝の宣伝特性データが前記周囲の放送データに最も近く一致するように、前記置換宣伝を選択するよう構成される、請求項１１記載のシステム。
【発明の詳細な説明】
【技術分野】
【０００１】
本発明は、一般に周囲の（ｓｕｒｒｏｕｎｄｉｎｇ）番組、画像又はコンテンツによるコマーシャル又は宣伝の様相及び音声の調整又はカスタマイズ化に関する。
【背景技術】
【０００２】
宣伝やコマーシャルが番組中断中に開始されると、広告主は一般に視聴者又は聴衆がいないことを懸念する。従来、宣伝又はコマーシャルは、聴衆に関する一般的な人口統計的な統計量に基づきテレビ、ラジオ又は他の直接的な番組に挿入される。近年、視聴者やローカル状態に関する利用可能な情報に基づき、コマーシャルをカスタマイズ化することにより大きな関心が払われてきている。例えば、Ｓｔｉｎｉｋ（米国特許第６，１６０，５７０号）は、ユーザに関する人口統計情報を含む先に保存されたユーザプロファイルに基づき、表示用に画像の１つを選択する編集モジュールがテレビユニットに接続されるシステムを開示している。このように、システムに保存されているユーザプロファイルに基づき、コマーシャルが表示用又は再生用に選択される。
【０００３】
また、コマーシャルのコンテンツは、Ｔｉｎｓｌｅｙらにより開示されるように（米国特許出願公報第２００３／００４１１５９号）、ユーザの過去の行為についてアーカイブされたデータに基づきユーザに適応化又はカスタマイズされるかもしれない。
【０００４】
しかしながら、それが挿入される番組やコンテンツとコマーシャルの様相又は“ルック・アンド・フィール（ｌｏｏｋ  ａｎｄ  ｆｅｅｌ）”の関係は、一般には引用された従来技術によっては考慮されない。例えば、視聴者がロマンティックな映画を視聴しており、コマーシャル時間中に示されるコマーシャルが、特に大きな音の音楽や飽和色スキームを有する場合、視聴者の耳や目がこのようなコマーシャルに調整されるのに時間がかかるかもしれない。このようなコマーシャルは、視聴者を煩わし又は苛つかせるかもしれず、視聴者を不快にしたり、又は視聴者にチャンネルを切り替えさせ、早送り又はスキップさせ、コマーシャル又は番組から離れさせることになるかもしれない。
【０００５】
米国仮特許出願第６０／５２０，６２１号（２００３年１１月１７日に出願された）は、周囲の番組コンテンツに基づきコマーシャルを取り替えることを開示している。しかしながら、この仮出願は、周囲のコンテンツの様相、音声及び／又は“感情”に対してコマーシャルをカスタマイズ又は調整することを提供するものではない。
【発明の開示】
【発明が解決しようとする課題】
【０００６】
新たな宣伝のスタートを検出する宣伝検出装置と、この新たな宣伝の映像特性と音声特性の少なくとも１つを宣伝特性データとして、周囲の放送の映像特性と音声特性を周囲の放送データとして抽出する特性データ抽出装置と、新たな宣伝と格納されている宣伝の宣伝特性データと周囲の放送データの比較に基づき、新たな宣伝と格納されている宣伝の１つを置換宣伝として選択する比較装置と、置換宣伝の映像特性と音声特性の少なくとも１つを周囲の放送データに基づきカスタマイズするカスタマイズ化モジュールとを含む、周囲の放送に基づき宣伝をカスタマイズする方法及びシステムが提供される。
【０００７】
さらに、宣伝カスタマイズ化装置のカスタマイズ化モジュールは、置換宣伝のための少なくとも２つの予め設定された特徴データの１つから選択することによってカスタマイズ化するかもしれない。予め設定される特徴データは、カラースキーム、音声トラックなどを表すかもしれない。
【０００８】
宣伝カスタマイズ化装置は、宣伝設定を調整することによってカスタマイズ化することが可能である。調整された宣伝設定は、ボリューム、ピッチ、カラー飽和、カラーコントラスト、テクスチャ又はモーションの少なくとも１つを含むかもしれない。
【０００９】
宣伝カスタマイズ化装置はまた、例えば、ライナーフェーディング（ｌｉｎｅｒ  ｆａｄｉｎｇ）、補間又はディゾルブ（ｄｉｓｓｏｌｖｅ）などを利用することによって置換宣伝をカスタマイズ化するようにしてもよい。また、置換宣伝のカスタマイズ化は、ジャンル情報と電子番組ガイド情報の少なくとも１つを含む周囲の放送データに関する情報に基づくものであってもよい。
【００１０】
置換宣伝は、宣伝のカスタマイズ化後、周囲の放送に挿入されるようにしてもよい。さらに、置換宣伝は、例えば、パーソナルビデオレコーダ又はパーソナルビデオレコーダの記憶媒体などに格納されるようにしてもよい。
【００１１】
置換宣伝の選択は、置換宣伝の宣伝特性データが周囲の放送データに最も近く一致するように実行することが可能である。
【発明を実施するための最良の形態】
【００１２】
以下の説明及び上記図面は、発明者によって現在最も良く理解されるような出願人の発明の実施例を記載するが、本発明の多くの改良が可能であり、本発明が、本発明の趣旨から逸脱することなく他の形式により実現され、また他の方法により実現されてもよいということが理解されるであろう。さらに、記載される実施例のいくつかの特徴は、本発明の趣旨から逸脱することなく、省略され、選択的に若しくは全体的に他の実施例と組み合わされ、又は他の実施例若しくはその一部の特徴を置換するのに利用されてもよい。従って、図面及び詳細な説明は、本発明のいくつかの側面の例示的な説明として解釈されるべきものであり、本発明の範囲を限定するものと解釈されるべきでない。
【００１３】
本発明は、各種タイプの装置に適用可能であり、このため、本発明の適用性をテレビ及び他のモニタに制限することなく、本発明は、映像及び／又は画像を表示するテレビ及び他のモニタと、例えば、放送されるテレビ番組のコマーシャルを用いたパーソナルビデオレコーダ及び他のそのような装置を参照して説明される。しかしながら、本発明の装置はまたラジオチューナ及び宣伝放送からの音声など、音声放送又は音声ストリームからの宣伝をカスタマイズすることが可能であるということは理解されるであろう。さらに、本発明が“放送”データストリームに関して後述されるが、これは単なる一例であって、本発明をこれに限定するものでないということは当業者に理解されるであろう。例えば、本発明は、ブロードバンドネットワークを用いてインターネットを介し閲覧又は再生可能な映像及び／又は音声コンテンツと共に、ワールドワイドウェブを介し配信されるコンテンツ、インターネットを介しストリーミングされ、若しくは以降において記録、格納及び再生されるライブのストリーミングに等しく適用可能である。
【００１４】
映像及び音声入力信号は、ケーブル、放送テレビ、衛星、チューナ、ＶＣＲ、ＤＶＤ又はセットトップボックスなどの外部ソースなど当該分野において知られている何れかのソースからのものとすることが可能である。映像及び音声入力信号は、インターネットなどからの配信信号又はストリーミング映像とすることが可能である。入力信号は、番組コンテンツ部分とオリジナルコマーシャル部分の両方を含む。例えば、宣伝カスタマイズ化装置がテレビ環境において使用されるとき、番組部分は、スポーツイベント、テレビショー、映画などのテレビ放送となるであろう。コマーシャル部分は、製品及び／又はサービスのための１以上の宣伝、政治的又は公的な宣伝若しくは通知などとすることが可能である。
【００１５】
図１に示される宣伝カスタマイズ化装置１−１は、番組、周囲の放送データ、宣伝、宣伝特性情報、設定及び／又は番組命令を格納するため、Ｂｕｓ１．１を介し記憶装置１−２に動作可能に接続される。ここでは単一の記憶装置１−２が説明されるが、同じことが、当該分野で知られる各種タイプの記憶装置である複数の個別の記憶装置により実現されるかもしれない。記憶装置１−２は、パーソナルビデオレコーダ、ハードドライブ、パーソナルコンピュータ、ＤＶＤ、ＴｉＶｏ、ＣＤ又はテレビ放送及び／又は宣伝などの番組を格納する他の装置若しくはシステムであってもよい。コントローラ１−１４は、制御フローを指示し、ユーザ／他の装置とのインタフェース及び他の機能を提供し、宣伝カスタマイズ化装置１−１の全体制御を提供する。
【００１６】
例えば、記憶装置１−２は、記録されたコンテンツから独立した物理的又は論理的エリアにコマーシャルを格納するかもしれない。（例えば、テレビ番組が記録される。）本発明の特徴によると、受信した宣伝は製品カテゴリ及び／又は広告主によって格納され、後述されるように、関連する宣伝特性データにより関連付けされる。その後、関連付けされた宣伝特性データに基づき、宣伝が格納エリアから抽出することが可能である。
【００１７】
図１及び２を参照して、本発明の特徴による処理が説明される。図２に示されるＳ１では、放送信号などの番組が受信される。例えば、本発明による宣伝カスタマイズ化装置１−１は、テレビ装置及びパーソナルビデオレコーダに物理的に一体化されるか、又は論理的に接続される場合、テレビ放送番組信号は、本発明による宣伝カスタマイズ化装置によって受信されるかもしれない。同様に、テレビ番組がパーソナルビデオレコーダに記録されている場合、番組が再生又は記録されているとき、放送信号が受信されるかもしれない。Ｓ２において、番組における宣伝又はコマーシャルの始まりが、宣伝検出装置１．１１によって検出される。宣伝のスタートを検出する既知の方法はいくつかあり、簡単化のため、そのような方法はここでは詳細には説明されない。
【００１８】
図２に示されるように、Ｓ３において、放送から周囲の放送データが抽出される。このような放送データは、図１に示される特性データ抽出装置１−１２によるボリューム、ピッチ、カラー飽和、カラーコントラスト、カラースキームなどを含むコントラスト及びＥＰＧ（電子番組ガイド）情報に関する情報を含むかもしれない。図１に示されるように、特性データ抽出装置１−１２は、周囲の放送の映像データ特性（映像特性抽出装置１−１２．１）と音声特性（音声特性抽出装置１−１２．２）の両方を抽出するかもしれない。このような方法特性データはまた、周囲の放送に関するオブジェクト記述情報、テクスチャ情報、ジャンル情報及び音声音楽テンポ情報を含むかもしれない。周囲の放送がサンプリングされ、放送データが、宣伝直前、宣伝直後又はその両方において放送のポイントで抽出される。
【００１９】
Ｓ４において、検出された新たな宣伝に対して、類似する特性データが抽出される。Ｓ５が以下で説明される。
【００２０】
その後、取り巻く放送の放送データと類似した特性データを有する宣伝を検出するため、格納されている宣伝が検索される。例えば、パーソナルビデオレコーダに以前に格納された宣伝が、その特性データが周囲の放送の放送データに最も近く一致する同一の製品に対する同一広告主の宣伝を検出するよう検索されてもよい。
【００２１】
本発明の特徴によると、各宣伝の特性データが、宣伝が格納されているデータベースに係るデータベースに又は宣伝と共に格納され、置換宣伝の選択時の比較及び抽出処理が実現される。例えば、新たな宣伝が検出される時点において、宣伝の特性データがデータベースの特性データエリアにおいて抽出及び格納され、宣伝と関連付けされてもよい。このような特性データデータベースは、宣伝が格納される上述したパーソナルビデオレコーダなどのデータ格納エリア又はデータベースと物理的に一体化されてもよい。特性データはまた、迅速な抽出及びマッチングのためハードドライブに個別に格納されてもよく、又はインターネットなどのネットワークを介しリモートストレージなどに遠隔的に格納されてもよい。これにより、適切な特性データが周囲の放送データから選択されると、関連付けされた宣伝が宣伝データベース又はストレージから置換宣伝として選択される。本発明の特徴によると、独立した特性データベース、宣伝データベース及び番組ストレージが設けられる。しかしながら、これらのデータベースは同一の物理的記憶装置１０２の個別エリアとして構成されてもよく、上記の２つ又は３つすべてが統合されてもよいということは理解されるであろう。
【００２２】
Ｓ７において、その特性データが周囲の放送データと最も近く一致する宣伝が、置換宣伝として選択される。特性データの上記具体例の何れかの組み合わせが、置換宣伝を選択し、置換宣伝の何れかの特徴がカスタマイズ化される必要があるか決定するため利用することが可能である。特性データのこのような特徴にはまた、例えば、“音量、輝度”などに関するレーティングを与えることが可能であり、その後、このような特性データの特徴が、類似したレーティングされた周囲の放送データ特徴との比較のための基礎として利用可能である。さらに、各特性は、一部の特性が他のものより大きく又は小さく重み付けすることができるように、異なる加重係数が割り当てることできる。このような加重係数は、デフォルトにシステムにより提供することが可能であり、適切なユーザインタフェースを介し視聴者により割当て可能であり、又は一部の加重係数はデフォルトにより、他のものは視聴者により割り当てられるようにしてもよい。さらに、置換宣伝を選択するに際して、検出された新たな宣伝が類似する時間間隔の置換宣伝により置換されるように、置換宣伝の長さが記録されてもよい。例えば、このような実施例によると、もとの宣伝が３０秒間である場合には、３０秒の宣伝が置換宣伝として選択される。
【００２３】
Ｓ８において、置換宣伝のカスタマイズ化が実行される。図１に示されるように、カスタマイズ化モジュール１．１５は、置換宣伝をカスタマイズ化するため、予め設定された特徴選択装置１．１５．１と設定調整装置１．１５．２の両方を有する。本発明の特徴によると、宣伝は、代替的な音声トラック及び／又は代替的なカラースキームなど、宣伝と共に格納される他の予め設定された特徴を有するであろう。このため、周囲の放送データに基づき、周囲の放送データに最も近い音声トラック及び／又はカラースキームが、カスタマイズされた置換宣伝に対して選択される。本発明の実施例によると、宣伝ためのデフォルト音声トラックなどのデフォルト選択が宣伝について設定され、カスタマイズ化モジュール１−１５により行われる他のカスタマイズ化選択が存在しないとき、宣伝カスタマイズ化装置１−１により選択される。
【００２４】
さらに、置換宣伝は、周囲の放送の類似する特徴とそれによりそれを配置するため、置換宣伝のボリューム、ピッチ、カラー飽和、カラーコントラスト、テクスチャ、モーションなどを調整することによってさらにカスタマイズされる。宣伝カスタマイズ化装置１−１は、予め設定された特徴選択及び設定の調整を実現するため、映像特性カスタマイズ化装置（図示せず）と音声特性カスタマイズ化装置（図示せず）を有することが可能である。宣伝のカスタマイズ化では、ライナーフェーディング、補間又はディゾルブがまた、番組のＥＰＧデータから検出されたジャンルなどに基づき、周囲の放送データとそれを配置するのに利用されるかもしれない。例えば、ディゾルブ遷移は、ロマンティックな映画や他のタイプの番組により適切であるかもしれない。
【００２５】
本発明の特徴によると、明るい色と大音量の音声トラックを有するアクション及びアドベンチャーテレビ番組は、類似するカラースキーム及び類似する音声トラックを有する置換宣伝を保証する。他方、ロマンス映画は、典型的にはよりソフトなトーンやスコアを有する可能性があり、それは類似するトーン及びスコアを有するカスタマイズ化された置換宣伝を要求するであろう。本発明の特徴によると、上述されるように、周囲の放送と置換宣伝の配置は、適切な宣伝をカスタマイズ化することによって実現される。
【００２６】
その後Ｓ９において、カスタマイズ化された置換宣伝が周囲の放送に挿入され、ユーザに再生され、以降の利用のため格納される。パーソナルビデオレコーダの実施例では、カスタマイズ化された挿入された置換宣伝を有する番組が、以降の再生のためビデオレコーダに格納される。リアルタイムの実施例では、カスタマイズ化された宣伝を有する番組がすぐに示される。
【００２７】
本発明の特徴によると、宣伝と番組との間の移行はユーザによって決定することが可能である。このようなユーザにより指定される移行は、フェード、ディゾルブなどの何れのタイプの移行が実際の番組と宣伝との間に導入されるか決定することが可能である。このような嗜好はまた、本発明によるシステムによってユーザに対して格納することが可能である。
【００２８】
Ｓ５に戻ると、本発明の特徴によると、リアルタイムの実施例では、検出される新たな宣伝のための宣伝特性データは、何れの宣伝特徴がカスタマイズ化される必要があるか決定するため、周囲の放送から抽出された周囲の放送データと比較される。このため、Ｓ６及びＳ７は、それが常に周囲の番組と共にリアルタイムにカスタマイズ及び再生される検出された新たな宣伝となるため、本実施例では省略される。すなわち、本実施例によると、検出された宣伝は、図１に示される予め設定された特徴選択装置１５．１と設定調整装置１−１５．２を用いて、周囲の番組の周囲の放送データとより近くにそれの特性データを配置するようカスタマイズされるが、置換宣伝の選択はない。
【００２９】
あるいは、リアルタイムの実施例でさえ、ストレージ宣伝の特性データは、置換宣伝を決定するため、周囲の放送データと比較される。すなわち、リアルタイムの実施例では、以前に格納された特性データに基づき、格納されている宣伝から置換宣伝が依然として選択可能である。
【００３０】
カスタマイズされた置換宣伝の挿入によって、宣伝カスタマイズ化装置１−１は、さらなる映像／音声入力信号が検出されるか判断し、そうである場合、図２に示されるように、システムは、番組の新たな宣伝の開始をモニタし続ける（Ｓ２に戻る）。そうでない場合、システムは処理を終了する。
【００３１】
上記説明により提供された本発明の実施例は、単なる例示的な実施例として意図されている。しかしながら、本発明の範囲は請求項に与えられるということは理解されるであろう。
【図面の簡単な説明】
【００３２】
【図１】図１は、本発明の実施例による宣伝カスタマイズ化装置の図である。
【図２】図２は、本発明の実施例による宣伝カスタマイズ化装置の処理のフローチャートである。
【図１】
2008522532.tif 000003
【図２】
2008522532.tif 000004
【国際調査報告】
2008522532.tif 000005
2008522532.tif 000006